(57)【要約】  植物分析デバイス（１）が提供され、植物分析デバイス（１）は、木（１ａ）の振動を検出するための検出装置（２，３）と、検出装置（２，３）を木（１ａ）に固定するための固定手段（４）と、制御盤（５）と、を備え、制御盤（５）は、検出装置（２，３）が木（１ａ）に作用するサンプリング振動を測定し、木（１ａ）のサンプリングスペクトルがサンプリング振動に応じて判定されるサンプリングステップと、検出装置（２，３）が木（１ａ）に作用する電流振動を測定し、木（１ａ）の電流スペクトルが電流振動に応じて判定される監視ステップと、木（１ａ）の植物状態が電流スペクトルをサンプリングスペクトルと比較することによって判定される評価ステップとを制御する。【選択図】図２
2021500538.tif 000002
【特許請求の範囲】
【請求項１】
木の植物状態を分析するための植物分析デバイス（１）であって、前記植物分析デバイス（１）は、
木（１ａ）の振動を検出するための検出装置（２，３）と、
前記検出装置（２，３）を前記木（１ａ）に固定するための固定手段（４）と、
制御盤（５）と、を備え、前記制御盤（５）は、
前記検出装置（２，３）が前記木（１ａ）に作用するサンプリング振動を測定するように制御し、前記制御盤（５）は前記木（１ａ）のサンプリングスペクトルを前記サンプリング振動に応じて判定し、続いて、
前記検出装置（２，３）が前記木（１ａ）に作用する電流振動を測定するように制御し、前記制御盤（５）は前記木（１ａ）の電流スペクトルを前記電流振動に応じて判定し、
前記制御盤（５）は、前記電流スペクトルを前記サンプリングスペクトルと比較することによって、前記木（１ａ）の前記植物状態を判定することを特徴とする、植物分析デバイス（１）。
【請求項２】
前記制御盤（５）は、前記電流スペクトルの範囲内の検出ピークを独占的に有する周波数を検出するために、前記サンプリングスペクトルと前記電流スペクトルとの前記比較を行う、請求項１に記載の植物分析デバイス（１）。
【請求項３】
前記制御盤（５）は、１ＫＨｚよりも実質的に低い周波数において、前記電流スペクトルを前記サンプリングスペクトルと比較することによって、前記木（１ａ）の前記植物状態を判定する、請求項１〜２の少なくとも１項に記載の植物分析デバイス（１）。
【請求項４】
前記制御盤（５）は、１ＫＨｚよりも実質的に低い周波数において、前記電流スペクトルを前記サンプリングスペクトルと比較することによって、前記木（１ａ）の前記植物状態を判定する、請求項３に記載の植物分析デバイス（１）。
【請求項５】
前記検出装置（２，３）は、前記木（１ａ）に一体的に拘束されるように適合される少なくとも１つの加速度計（２）を備える、請求項１〜４の少なくとも１項に記載の植物分析デバイス（１）。
【請求項６】
前記検出装置（２，３）は、前記木（１ａ）に一体的に拘束されるように適合される少なくとも１つのジャイロスコープ（３）を備える、請求項１〜５の少なくとも１項に記載の植物分析デバイス（１）。
【請求項７】
前記湿度を測定するように適合される湿度検出器（８ｂ）及び前記温度を測定する適合される温度計（８ａ）の少なくとも１つを備え、前記サンプリングスペクトル及び前記電流スペクトルは前記温度及び前記湿度の少なくとも１つに応じて判定される、請求項１〜６の少なくとも１項に記載の植物分析デバイス（１）。
【請求項８】
請求項１〜７の少なくとも１項に記載の少なくとも１つの前記植物分析デバイス（１）と、前記植物分析デバイス（１）とデータ接続する制御ステーションとを備える、植物制御システム。
【請求項９】
制御ステーションとデータ接続する複数の前記植物分析デバイス（１）を備える、請求項８に記載の植物制御システム。
【請求項１０】
前記植物分析デバイス（１）は異なる木に拘束されるように適合され、前記木の少なくとも１つの植物的問題に起因する前記スペクトルの変化を検出するために、前記制御ステーションが前記木の前記スペクトルを比較することを可能にする、請求項９に記載の植物制御システム。
【請求項１１】
木（１ａ）を分析するための植物分析プロセス（１０）であって、
前記木（１ａ）に作用するサンプリング振動が測定され、前記木（１ａ）からの振動周波数のサンプリングスペクトルは前記サンプリング振動に応じて判定される、サンプリングステップと、
検出装置（２，３）が前記木（１ａ）に作用する電流振動を測定し、前記木（１ａ）の電流スペクトルは前記電流振動に応じて判定される、監視ステップと、
前記木（１ａ）の植物状態は、前記電流スペクトルを前記サンプリングスペクトルと比較することによって判定される、評価ステップと、を含む、植物分析プロセス（１０）。
【請求項１２】
前記評価ステップでは、前記木（１ａ）の前記植物状態は、前記電流スペクトルの範囲内に検出ピークを独占的に有する周波数を検出するために、前記サンプリングスペクトル及び前記電流スペクトルを相互に比較することによって判定される、請求項１１に記載の植物分析プロセス（１０）。
【請求項１３】
前記監視ステップでは、複数の前記検出装置（２，３）は異なる前記木（１ａ）に作用する前記電流振動を測定し、前記評価ステップは、少なくとも１つの前記木（１ａ）の植物的問題を識別するために、前記木（１ａ）の前記スペクトルの間の比較を行う、請求項１２〜１３の少なくとも１項に記載の植物分析プロセス（１０）。
【発明の詳細な説明】
【技術分野】
【０００１】
本発明は、最初の請求項の前文に規定される種類の植物分析デバイスに関する。
【背景技術】
【０００２】
具体的には、本デバイスは、好ましくは植物体を切り落とすことによって木が落下することを防止するために、植物体または木（以下では、用語「木」と一義的に識別される）の安定性を分析することができる。
【０００３】
既知であるように、現在、木の植物分析は、正常に、木の特徴及び全身状態を検査し、その木のいずれかの構造上の欠陥を強調するように適合される木の目視検査によって行われる。
【０００４】
最も使用される目視検査の１つはＶ．Ｔ．Ａ．（Ｖｉｓｕａｌ  Ｔｒｅｅ  Ａｓｓｅｓｓｍｅｎｔ）である。
【０００５】
この検査は、一定張力の原理、すなわち、生物学的構造が表面上の荷重の均等な分散を確実にするように発達する事実に基づくものである。したがって、Ｖ．Ｔ．Ａ．は、木が腐食／破壊を受けるとき、その木は荷重の均等な分散を復元する損傷エリアの修理素材を作り出し、表面上の、ひいては、可視の不均一性を作り出す傾向があることを教示する。
【０００６】
結論として、この検査は、組織内の変性過程の存在の外部病徴を識別することを目的とした目視調査を提供する。この調査は、葉、木質部（幹、主枝、及び一次枝）、及び木の襟に実行される。
【発明の概要】
【発明が解決しようとする課題】
【０００７】
上述の先行技術は少しの主な欠点がある。
【０００８】
第１の欠点は、これらの検査は、高レベルの注目を必要とし、ひいては、かなり長く労力を要する。
【０００９】
本態様は、植物分析をそれぞれの木で定期的に行う必要がある事実によって強調される。
【００１０】
したがって、別の欠点は、たくさんの人が多くの木がある森の植物分析を行うことが要求されることである。
【００１１】
主な欠点は、不具合の識別、ひいては、目視調査が、それぞれの外部病徴を木の内部劣化の正確な程度と関連付けることが可能である専門スタッフが必要であることである。
【００１２】
さらに、専門スタッフを利用したにもかかわらず、目視調査は、正確な植物分析を可能にしない。したがって、視覚分析は、多くの場合、器具による調査によって達成する。
【００１３】
これらの器具による調査は、幹の小断片及び／または木の他の部分の除去、または代替として、放射線技術の使用を含む。
【００１４】
これらの器具による調査は、植物分析を改善するが、高いコスト及びその侵襲性によって、それの調査が分析時間を長くするため不十分な適用になる。
【００１５】
別の欠点は、年代を測定することが可能である調査は、高いコスト及び長時間に起因して、一連の土地の全ての植物体に適してなく、また、対象範囲のある点だけで可能になることである。
【課題を解決するための手段】
【００１６】
この状況では、上述の欠点を実質的になくすことが可能である本発明の根底を成す技術タスクは、植物分析デバイスを考案することである。
【００１７】
当該技術タスクの範囲内では、本発明の主な目的は、正確及び高速な方法で植物分析を行うことを可能にする植物分析デバイスを提供することである。
【００１８】
本発明の別の主な目的は、大量の人的資源または経済資源を使用することなく、リアルタイムで及び連続的に時間をかけて実行可能である植物分析デバイスを取得することである。
【００１９】
技術タスク及び特定の目的は、添付の請求項１に請求される植物分析デバイスによって達成する。
【００２０】
好ましい実施形態は従属請求項に記載される。
【００２１】
本発明の特徴及び利点は、添付図を参照すると、本発明の好ましい実施形態の詳細な説明から明らかである。
【図面の簡単な説明】
【００２２】
【図１】本発明による、植物分析デバイスを示す。
【図２】使用中の植物分析デバイスを示す。
【図３】本発明による、植物分析デバイスの動作を図式化する。
【図４】植物分析デバイスによって取得可能な推定値のグラフ表示を示す。
【発明を実施するための形態】
【００２３】
本文書では、測定値、値、形状、及び幾何学的基準（垂直性及び平行性等）は、「約」等の用語、または「ほとんど」もしくは「実質的に」等の他の同様の用語に関連付けられるとき、生産欠陥及び／または製造欠陥に起因する測定のエラーまたは不正確性がない場合のもの、特に、関連付けられる値、測定値、形状、または幾何学的基準とのわずかな差がない場合のものとして理解される。例えば、値に関連付けられる場合、これらの用語は、好ましくは、それの自体の値の１０％を超えない差を示す。
【００２４】
別様に規定されない限り、以下の説明から明らかであるように、「処置」、「データ処理」、「判定」、「計算」等の用語は、コンピュータシステム及び／またはメモリのレジスタの電子サイズ等の物理量として表されるデータを、コンピュータシステム、レジスタまたは他のストレージ、伝送デバイスまたは情報表示デバイスの物理量として同様に表される他のデータになるように操作及び／または変換するコンピュータまたは同様の電子コンピューティングデバイスのアクション及び／またはプロセスを参照するために理解される。
【００２５】
引用図を参照すると、本発明に従った植物分析デバイスは、全体として、数字１によって示される。
【００２６】
その植物分析デバイスは、木１ａの植物状態を判定することによって、好ましくは、木の落下のいずれかの危険性を報告することによって、木１ａの安定性を検証（具体的には、監視）するように適合され、したがって、例えば、木を安全に切ることを可能にする。
【００２７】
植物分析デバイス１は、木１ａの振動、すなわち、１ＫＨｚよりも実質的に低い周波数を適切に有する木１ａの振動を検出するための検出装置を備え得る。
【００２８】
したがって、植物分析デバイス１は、かなり特定の周波数を特徴とする地殻から生じる振動の周波数を測定する検出装置を使用することに留意されたい。これらの周波数は、例えば、背景雑音として地震計によって検出される地表の継続する微弱振動を表す。
【００２９】
検出装置は、地殻から生じる木１ａの振動周波数を測定することに加えて、また、根系を含む木１ａを圧迫する任意の他の機械的作用物質によって生じる周波数を測定するように適合されることにも留意される。
【００３０】
検出装置は、１ＫＨｚよりも実質的に低い検出周波数を適切に有する木１ａの振動を検出するように適合される１つ以上の慣性センサを備える。
【００３１】
詳細には、その検出装置は、木１ａに作用する力を測定するように、木１ａに一体的に拘束されるように適合される少なくとも１つの加速度計２を備え得る。
【００３２】
加速度計２は当該検出周波数を有し得る。
【００３３】
加速度計２は、木１ａの直線加速度を検出及び／または測定するように適合される。好ましくは、加速度計２は３軸あり、したがって、３つの相互に対する垂直軸に沿って木１ａの直線力／直線加速度を測定することが可能である。
【００３４】
検出装置は、木１ａに作用するモーメントを測定するように、当該木１ａに一体的に拘束されるように適合される少なくとも１つのジャイロスコープ３を備え得る。
【００３５】
ジャイロスコープ３は当該検出周波数を有し得る。
【００３６】
ジャイロスコープ３は、木１ａの角加速度を検出及び／または測定するように適合される。好ましくは、ジャイロスコープ３は３軸あり、したがって、３つの相互に対する垂直軸に対する木１ａの角度モーメント／角加速度を測定することが可能であり、詳細には、３軸の加速度計２のものと一致する。
【００３７】
好ましくは、検出装置は、１つだけの加速度計２と、１つだけのジャイロスコープ３とを備える。
【００３８】
検出装置が木１ａに作用する物理作用を正確に検出することを可能にするために、植物分析デバイス１は、検出装置（正確に言うと、デバイス１の全体）を木１ａに一体的に拘束するように適合される固定手段４を備え得る。
【００３９】
植物分析デバイス１は、植物分析デバイス１の動作を制御する制御盤５を備え得る。
【００４０】
下記にさらに詳細に説明される制御盤５は、検出装置を制御し、その慣性センサによって、木１ａに作用する振動を測定し、随意に、当該振動に応じて当該木１ａの当該振動の周波数スペクトルを判定するように適合される。
【００４１】
用語「スペクトル」（それはサンプリングスペクトル及び／または電流スペクトルのどちらか）は、振動周波数対係る周波数の検出数、すなわち、当該周波数が登録された回数（絶対値または％値として表される）を示すことによって、振動の代表値を識別することができる。例えば、当該スペクトルは、デカルト平面上で、横座標上に周波数（ｆ）、縦座標上に検出数（Ｎ）を示す図４に示されるグラフであり得る。
【００４２】
具体的には、制御盤５は、検出装置（正確に言うと、加速度計２及び／またはジャイロスコープ３）を制御し、木１ａに作用するサンプリング振動を測定し、随意に、当該サンプリング振動に応じて木１ａのサンプリングスペクトルを判定するように適合される。
【００４３】
可能性があるサンプリングスペクトルは、図４の実線によって示される。
【００４４】
サンプリングスペクトルを取得した後、制御盤５は、検出装置（具体的には、加速度計２及び／またはジャイロスコープ３）を制御し、木１ａの電流振動（すなわち、植物分析中の振動）を測定し、電流振動に基づいて電流スペクトルを測定し、最後に、電流スペクトルをサンプリングスペクトルと比較することによって、木１ａの植物状態を判定するように適合される。
【００４５】
可能性がある電流スペクトルは、図４の破線によって示される。
【００４６】
具体的には、制御盤５は、サンプリングスペクトルを電流スペクトルと比較することによって、木１ａの植物状態を判定し、検出ピーク（図４にＰで示される）が複数のスペクトルのうちの１つだけに（正確に言うと、電流スペクトルの範囲内で独占的に）記録される１つ以上の周波数を検索する。
【００４７】
好ましくは、木１ａの植物状態は、電流スペクトルを、１ＫＨｚよりも実質的に低い周波数帯域の範囲内のサンプリングスペクトルと比較することによって判定される。
【００４８】
植物分析デバイス１は、さらに、電気エネルギーを同じ植物分析デバイス１の構成要素に提供するように適合される電力供給システム６を備え得る。
【００４９】
当該電力供給システム６は、電池及び／または太陽光発電パネルを備え得る。
【００５０】
植物分析デバイス１は、デバイス１または木１ａの識別子を含み得る。
【００５１】
当該識別子は、デバイス１または木１ａの識別を可能にするように適合され、デバイス１の位置、ひいては、関連付けられる木１ａの位置の識別と、デバイス１または木１ａの英数字コードの識別とを可能にするように適合される少なくとも１つのジオロケータを備え得る。
【００５２】
最後に、下記に説明されるように、植物分析デバイス１は、データを同じデバイスから記憶するように適合されるメモリ７を備え得る。
【００５３】
随意に、植物分析デバイス１は、大気パラメータを測定するように適合される少なくとも１つの環境センサ８を備え得る。
【００５４】
当該少なくとも１つの環境センサ８は、周辺温度を測定するように適合される温度計８ａを備え得る。
【００５５】
少なくとも１つの環境センサ８は、空気湿度を測定するように適合される湿度検出器８ｂを備え得る。
【００５６】
好ましくは、少なくとも１つの環境センサ８は、温度計８ａ及び湿度検出器８ｂを備え得る。
【００５７】
植物分析デバイス１は、複数の木１ａの安定性を評価（具体的には、監視）するように適合される植物制御システムに統合されることができる。
【００５８】
係る植物制御システムは、監視される木１ａのそれぞれに、当該１つの植物分析デバイス１と、上記の識別子及び下記に説明される１つ以上のサンプリングスペクトル及び／または電流スペクトルを、植物分析デバイス１が設けられる木１ａのそれぞれにリンクする木のデータベースを含む制御ステーションとを備える。
【００５９】
制御ステーション及び１つ以上の植物分析デバイス１は、データ接続されることができる。
【００６０】
したがって、デバイス１のそれぞれは、当該データ接続を制御ステーションに提供するように適合される接続手段９を備え得る。
【００６１】
明らかに、制御ステーションは、また、それ自体の接続手段を含み得る。
【００６２】
データ接続は無線であり、ローカルネットワークＷＬＡＮ（無線ローカルエリアネットワーク）、無線移動セルラーネットワーク（ＧＳＭ（登録商標）、ＧＰＲＳ、ＥＤＧＥ、ＵＭＴＳ、ＨＳＰＡ、ＬＴＥ、Ｂｌｕｅｔｏｏｔｈ（登録商標）等）、または衛星ネットワークから適切に選択され得る。
【００６３】
いくつかの場合、植物制御システムは、制御ステーションと１つ以上の植物分析デバイス１との間に、データ接続において介在するように適合される１つ以上のノードを含み得る。これらの場合、植物分析デバイス１は、（例えば、適切には、Ｂｌｕｅｔｏｏｔｈ（登録商標）タイプ、好ましくは、低エネルギータイプ（Ｗｉｂｒｅｅ）の無線接続によって）少なくとも１つのノードとデータを交換し、ノードとデバイス１との間のものと異なるまたはそれに等しいタイプであり得る無線接続によって好都合に制御ステーションによって少なくとも１つのノードとデータを交換する。
【００６４】
制御ステーションは、サーバ／プロセッサ／コンピュータとして識別可能である。
【００６５】
本システムは、振動デバイス１によって測定される当該サンプリングに応じてサンプリングスペクトルを判定し、電流振動に応じて電流スペクトルを判定し、次に、電流スペクトルとサンプリングスペクトルと比較することによって、木１ａの植物状態を確立するように適合され得る。
【００６６】
構造に関して上記に説明した植物分析デバイスの動作、ひいては、植物制御システムの動作は、上記に言及した革新的な植物分析方法１０を制御盤によって少なくとも部分的に制御可能であるとして定義することを可能にする。
【００６７】
木１ａを植物学的に分析するための植物分析工程１０は、検出装置が木１ａのサンプリング振動を測定し、木１ａのサンプリングスペクトルが当該サンプリング振動に応じて判定されるサンプリングステップ１１を含む。
【００６８】
木１ａの振動周波数のスペクトルは、木１ａは、例えば、地殻または木１ａの他の外部物質の振動によって刺激されたとき、例えば、その落下または損傷を生じさせる木１ａの安定性を妨げるこの振動を生じないで耐えることができる周波数のセットを表す。
【００６９】
具体的には、サンプリングステップ１１は、検出装置の慣性センサ（正確に言うと、加速度計２及び／またはジャイロスコープ３）が木１ａのサンプリング振動を測定する検出サブステップ１１１と、サンプリングスペクトルが当該サンプリング振動に従って判定される木１ａをプロファイリングするためのプロファイリングサブステップ１１２とを含む。
【００７０】
適切に、検出サブステップ１１１は、サンプリングスペクトルを生成するのに十分である複数のサンプリング振動をもたらすように、長期間（例えば、数日間または数週間）行われることができる。
【００７１】
検出サブステップ１１１は、実質的に１ＫＨｚの周波数を有するサンプリング振動を検出する。
【００７２】
随意に、検出サブステップ１１１の振動に加えて、環境センサ８は、サンプリング温度及び空気サンプリング湿度から選択された少なくとも１つ、好ましくは、サンプリング温度及びサンプリング湿度の両方を検出することができる。
【００７３】
この検出サブステップ１１１で獲得したデータは、植物分析デバイス１のメモリ内に及び／または制御ステーションの木のデータベース内に記憶され得る。
【００７４】
プロファイリングサブステップ１１２は、前の検出サブステップ１１１で判定されたサンプリング振動に応じて、木１ａのサンプリングスペクトル（図４の実線）を判定する。サンプリングスペクトルの計算は、フーリエ変換（正確に言うと、高速フーリエ変換）を使用することによって実行されることができる。
【００７５】
サンプリング振動に加えて、サンプリングスペクトルは、サンプリング温度及び／またはサンプリング湿度に応じて判定されることができる。
【００７６】
サンプリングスペクトルは、制御ステーションの木のデータベース内に及び／また植物分析デバイス１内に記憶されることができる。
【００７７】
そのサンプリングスペクトルは、１ＫＨｚよりも実質的に低い周波数を有するサンプリング振動を考慮し得る。
【００７８】
プロファイリングサブステップ１１２は、デバイス及び／または制御ステーションによって行われることができる。
【００７９】
サンプリングステップ１１は、木１ａの進化に合わせてサンプリングスペクトルを調節するために、定期的に（例えば、１年に１回または２回）行われることができることに留意されたい。
【００８０】
いったんサンプリングスペクトルが取得されると、サンプリングステップ１１は完了し、植物分析方法１０は、木１ａの電流振動（すなわち、監視する時点の木１ａの振動）を測定し、電流スペクトルはその電流振動に基づいて判定される監視ステップ１２を含む。
【００８１】
具体的には、監視ステップ１２は、検出装置の慣性センサ（正確に言うと、加速度計２及び／またはジャイロスコープ３）が木１ａに作用する電流振動を測定する測定サブステップ１２１と、電流スペクトルが当該電流振動に従って判定される分析サブステップ１２２とを含む。
【００８２】
測定サブステップ１２１は、１ＫＨｚよりも実質的に低い周波数を有する電流振動を検出する。
【００８３】
随意に、測定サブステップ１２１の振動に加えて、環境センサ８は、現在温度及び現在の空気湿度から選択された少なくとも１つ、好ましくは、現在温度及び現在湿度の両方を検出することができる。
【００８４】
分析サブステップ１２２は、前の測定サブステップ１２１で判定された電流振動に応じて、木１ａの電流スペクトル（図４の破線）を判定する。電流スペクトルの計算は、フーリエ変換（正確に言うと、高速フーリエ変換）を使用することによって実行されることができる。
【００８５】
電流振動に加えて、サンプリングスペクトルは、現在温度及び／または現在湿度に応じて判定されることができる。
【００８６】
電流スペクトルは、制御ステーションの木のデータベース内に及び／また植物分析デバイス１内に記憶されることができる。
【００８７】
電流スペクトルは、１ＫＨｚよりも実質的に低い周波数を有する電流振動を考慮し得る。
【００８８】
電流スペクトル及びサンプリングスペクトルを相互に比較可能にするために、例えば、測定サブステップ１２１及び検出サブステップ１１１が同じ期間を有することを確実にすることによる、及び／または検出数を正規化する、もしくはその検出数をパーセンテージとして表すこと等による解決策を採用することが可能である。
【００８９】
分析サブステップ１２２は、デバイス及び／または制御ステーションによって行われることができる。
【００９０】
随意に、監視ステップ１２は、例えばサンプリングステップ１１で取得されたサンプリングスペクトルは測定サブステップ１２１で適切に測定された電流周波数に基づいて更新される更新サブステップ１２３を含み得る。
【００９１】
監視ステップ１２の最後に、プロセス１０は、木１ａの植物状態が電流スペクトルをサンプリングスペクトルと比較することによって判定される評価ステップ１３を含む。
【００９２】
評価ステップ１３は、デバイス及び／また制御ステーションによって行われることができる。
【００９３】
監視ステップ１２及び評価ステップ１３は、サンプリングステップ１１のものと比較して、異なる適切により高い割合（例えば、１日１回）で行われ得る。
【００９４】
評価ステップ１３では、木１ａの植物状態は、電流スペクトルを、１ＫＨｚよりも実質的に低い周波数帯域の範囲内のサンプリングスペクトルと比較することによって判定されることができる。
【００９５】
植物状態の判定、したがって、木１ａの植物状態の危険性のある変化の存在の判定は、図４にあるように、検出のピーク（すなわち、絶対値及び／または関連のある極大値）が２つのスペクトルの１つだけに（正確に言うと、電流スペクトルに単独で）発生する周波数（詳細には、周波数の範囲）の検索において、サンプリングスペクトル及び電流スペクトルを比較することによって実行されることができる。言い換えれば、植物状態の判定は、電流スペクトルにおいて、サンプリングスペクトルが検出のピーク（図４の点Ｐを参照）を有しない、ひいては、制限された検出数を記録している周波数における検出数の増加／ピークを検索することによって行われる。
【００９６】
したがって、電流スペクトルが、検出ピークがサンプリングスペクトルに生じるものと異なる周波数において検出ピークを有する場合、木１ａの植物状態の危険性のある変化は発生する。サンプリングスペクトルと比較して電流スペクトルの検出ピークにおける検出の増加は、植物状態の危険性のある変化を定義しないことを指摘したい。
【００９７】
検出ピークのこの差は、例えば、サンプリングスペクトルに発生しないピークの電流スペクトルの発生、及び／またはある周波数から別の周波数までのピークの変位（シフトと称される）、及び／または既存のピークの振幅変動として識別されることを分かることができる。
【００９８】
植物状態の１つ以上の危険性のある変化が存在する場合、植物分析方法１０は、制御ステーションが、木１ａが落下する危険性があるときに信号を送信する、信号送信ステップ１４を含み得る。
【００９９】
詳細には、植物分析デバイス１は、識別子を、木１ａが落下する危険性があることをオペレータに信号を送信する制御ステーションに送信する。
【０１００】
代替として、または加えて、評価ステップ１３が制御ステーションによって実行されることができるため、信号送信ステップは、制御ステーションによって直接行われ得る。
【０１０１】
最終的に、いくつかの場合、評価ステップ１３では、木１ａの間の、より正確に言うと、異なる木１ａの異なるデバイス１によって検出された検出／スペクトルの間の比較を行うことができることに留意されたい。異なる木１ａの当該評価は、例えば、スペクトルのいずれかの変化が木１ａの成長または季節的変化、または代わりに、木１ａの植物的問題の発生に起因する場合かどうかを比較することができる。
【０１０２】
当該比較は、異なる時間に取得されたスペクトル間で、より適切には、所与の時間的順序に従って検出されたスペクトル間で（例えば、数週間後／数ヶ月後に取得されたスペクトル間で）行われることができる。
【０１０３】
加えて、スペクトル間の比較は、１年の同じ時期に検出された周波数に応じて判定されたスペクトルを使用することによって（例えば、秋または春の両方で検出されたサンプリングスペクトル及び電流スペクトルを使用することによって）行われることができる。
【０１０４】
監視ステップ１２及び／または評価ステップ１３は、好ましくは、月１回及び／または年１回繰り返し得る。
【０１０５】
本発明は重要な利点を提供する。
【０１０６】
第１の利点は、植物分析デバイス１が、木１ａの植物状態のかなり高速の及び正確な評価を可能にすることである。
【０１０７】
具体的には、この評価は全体的に自動であるため（すなわち、その評価は、オペレータの介入を必要としない）、植物分析デバイス１は、木１ａの植物状態をかなり速く分析することを可能にする。
【０１０８】
さらに、周波数、ひいては、周波数スペクトルの革新的な使用は、さらに明白な外部病徴の存在または複雑及び高価な器具による調査の利用を必要なく、木１ａの植物状態を変える内在する変性過程の存在を判定することができる。
【０１０９】
この利点は、周波数を使用する革新的な方法は、内在する変性過程によって生じる木１ａの構造の修正が木１ａの物理機械的特徴を変える様式を活用する事実に起因する。したがって、木１ａは、振動（すなわち、その振動モード）に対するその反応を変化させ、それによって、検出装置によって検出されたもの（ひいては、デバイス１によって計算された振動周波数、木１ａがこれらの周波数で振動する回数）を修正する。
【０１１０】
したがって、革新的なデバイス１及びそれによって実施されることができる植物分析工程１０は、木１ａの物理機械的特徴（同じである木１ａに作用するアクション）を変えることによる内部構造の変化の発生が、この変化の発生前に与えられたものと異なる内部構造の変化を伴う木１ａの応答を生じさせる事実を活用する。したがって、検出装置（詳細には、加速度計２及び／またはジャイロスコープ３）は、異なる直線加速度／角加速度を検出し、したがって、異なる振動周波数及び／またはこの振動周波数の異なる検出数の計算を可能にする。
【０１１１】
また、振動の革新的な使用は、その使用が特定周波数における周波数ピークの生成／シフトに基づくため、目的の植物分析デバイス１を可能にすることが示される。
【０１１２】
別の利点は、１つ以上の木の植物分析をリモートで制御及び／または視認することが可能であることである。
【０１１３】
実際に、制御ステーションの接続手段の存在は、オペレータが、リモートで（例えば、スマートフォンによって）制御ステーションに接続することを可能にし、したがって、木のデータベースにアクセスする、または１つ以上の分析の実行を制御することを可能にする。
【０１１４】
別の利点は、１つ以上のスペクトルを記憶する植物分析デバイス１のメモリ、及び／または分析を受ける全ての木１ａの履歴リストを有し、ひいては、木１ａの進化を検査し、その成長が木１ａの植物状態にどのように影響を及ぼすかを分析することを可能にする木のデータベースである。
【０１１５】
本発明は、独立項の請求項に規定され、関連の技術的等価物の発明に関する概念の範囲内に収まる変形形態が可能である。この状況では、全ての詳細は、等価要素に交換可能であり、任意の種類の材料、形状、及び寸法は、存在し得る。
【図１】
2021500538.tif 000003
【図２】
2021500538.tif 000004
【図３】
2021500538.tif 000005
【図４】
2021500538.tif 000006
【国際調査報告】
2021500538.tif 000007
2021500538.tif 000008
2021500538.tif 000009